(57)【要約】  本発明は、ブラインド型カーテンに関するものであり、特に多数のカーテンブラインドが連結具で互いに連結されてカーテンブラインドを個別に分離して洗濯したり交換することができ、投光状態と暗幕状態を容易に制御することができ、延長板を形成してカーテンブラインドが簡単に「Ｕ」字状になるようにするブラインド型カーテンに関するものである。本発明は、隣接する暗幕カーテン部同士を連結具を通じて締結して審美感を増加させることができる。また、本発明はカーテン状態では投光が可能であり、隣接する暗幕カーテン部同士を連結具を通じて締結した状態では回転バーティカルの角度調節により暗幕カーテン効果を奏することができる。また、本発明は多数のカーテンブラインドを個別に分離することができて、汚染または毀損による個別洗濯及び修理が容易である。また、本発明は、カーテンブラインドの下端に重りを備えてカーテンブラインドがぴんと張るように引くことにより、美麗感を補強することができる。また、本発明は多数のボタンブラインドを個別に分離することができて、カーテンブラインドの色や柄を互いに異なるようにすることができて美麗感を補強することができる。本発明は連結具に投光カーテン部を支持する延長板を形成して、完全な「Ｕ」字状のブラインド型カーテンを提供することができる。
2018509190.tif 000002
【特許請求の範囲】
【請求項１】
投光カーテン部と、前記投光カーテン部の両側に備えられた暗幕カーテン部とを含む多数のカーテンブラインドで、前記暗幕カーテン部に備えられて隣接する暗幕カーテン部同士を締結させるブラインド型カーテン用連結具において、
第１ベース板と、前記第１ベース板の一面の一領域に突出して形成された第１締結部材とを有する第１クリップ板と、
前記第１ベース板と対応する形状である第２ベース板と、前記第２ベース板の一面の一領域で前記第１締結部材と結合されるように形成された第２締結部材と、前記第２ベース板の辺縁中心部から上部に延長された連結リングとを有する第２クリップ板とを含むことを特徴とするブラインド型カーテン用連結具。
【請求項２】
前記第１ベース板の一面の他領域に突出して形成されたスパイクを有する第１クリップ板と、
前記第２ベース板の一面の他領域で前記スパイクと結合されるように形成されたスパイク結合溝とをさらに含むことを特徴とする請求項１に記載のブラインド型カーテン用連結具。
【請求項３】
前記第１ベース板の一側の一部辺縁で延長された第１延長板と、
前記第２ベース板の一側の一部辺縁で延長され、前記第１延長板と対応する形状である第２延長板とを含み、
前記第１延長板と前記第２延長板によって前記カーテンブラインドがカーテン状態である時、前記投光カーテン部を「Ｕ」字状に保持することを特徴とする請求項２に記載のブラインド型カーテン用連結具。
【請求項４】
前記第１延長板と前記第２延長板は弾性部材であることを特徴とする請求項３に記載のブラインド型カーテン用連結具。
【請求項５】
投光カーテン部と、前記投光カーテン部の両側に備えられ、連結具によって隣接する暗幕カーテン部同士を締結された多数のカーテンブラインドとを含むブラインド型カーテンにおいて、
前記連結具は、
第１ベース板と、前記第１ベース板の一面の一領域に突出して形成された第１締結部材とを有する第１クリップ板と、
前記第１ベース板と対応する形状である第２ベース板と、前記第２ベース板の一面の一領域で前記第１締結部材と結合されるように形成された第２締結部材と、前記第２ベース板の辺縁中心部から上部に延長された連結リングとを有する第２クリップ板とを含むことを特徴とするブラインド型カーテン。
【請求項６】
前記第１ベース板の一面の他領域に突出して形成されたスパイクを有する第１クリップ板と、
前記第２ベース板の一面の他領域で前記スパイクと結合されるように形成されたスパイク結合溝とをさらに含むことを特徴とする請求項５に記載のブラインド型カーテン。
【請求項７】
前記第１ベース板の一側の一部辺縁で延長された第１延長板と、
前記第２ベース板の一側の一部辺縁で延長され、前記第１延長板と対応する形状である第２延長板とを含み、
前記第１延長板と前記第２延長板とによって前記カーテンブラインドがカーテン状態である時、前記投光カーテン部を「Ｕ」字状に保持することを特徴とする請求項６に記載のブラインド型カーテン。
【請求項８】
前記第１延長板と前記第２延長板は弾性部材であることを特徴とする請求項７に記載のブラインド型カーテン。
【請求項９】
前記カーテンブラインドは製織されたことを特徴とする請求項８に記載のブラインド型カーテン。
【請求項１０】
前記投光カーテン部は前記暗幕カーテン部よりも厚さが薄いことを特徴とする請求項９に記載のブラインド型カーテン。
【請求項１１】
前記連結具は前記暗幕カーテン部の上部に備えられ、
前記連結具の上部にはカーテンレールと連結される連結リングが形成されたことを特徴とする請求項１０に記載のブラインド型カーテン。
【請求項１２】
前記連結具は、
スリットが形成された第１連結具と、
前記スリットに締結される突起が形成された第２連結具とを含むことを特徴とする請求項１１に記載のブラインド型カーテン。
【請求項１３】
前記連結具を通じて前記カーテンブラインドの回転角度を制御することを特徴とする請求項１２に記載のブラインド型カーテン。
【請求項１４】
前記多数のカーテンブラインドは互いに色及び柄が異なることを特徴とする請求項１３に記載のブラインド型カーテン。
【請求項１５】
前記カーテンブラインドの下端に着脱される重りをさらに含むことを特徴とする請求項１４に記載のブラインド型カーテン。
【発明の詳細な説明】
【技術分野】
【０００１】
本発明はブラインド型カーテン用連結具及びこれを含むブラインド型カーテンに関するものであり、特に多数のカーテンブラインドが連結具によって互いに連結されてカーテンブラインドを個別に分離して洗濯したり交換することができ、投光状態と暗幕状態を簡単に制御することができ、延長板を形成してカーテンブラインドが簡単に「Ｕ」字状になるようにするブラインド型カーテン用連結具及びこれを含むブラインド型カーテンに関するものである。
【背景技術】
【０００２】
カーテンは窓やドアに設置される幕を意味する。一般的に、このようなカーテンは外部の光が投光される投光型カーテンと外部の光が投光されることができない暗幕型カーテンとに分けることができる。また、カーテンがこのように分けられているため、使用者は投光型カーテンと暗幕型カーテンの中の何れか一つを選択しなければならず、投光型カーテンの使用中に暗幕型カーテンが必要な場合、投光型カーテンを除去し、暗幕型カーテンを設置しなければならないという不便がある。
【０００３】
この問題を解決するために、カーテンの代わりにブラインドを設置した場合、バーティカルの回転角度の調節により投光状態または暗幕状態を制御することができるが、ブラインドはカーテンのようにメッシュ素材でないため、カーテンのような効果を奏することができない。さらに、従来のカーテンまたはブラインドは汚染や毀損されると全体をレールから取り外して洗濯したり修理または交換しなければならないという問題がある。
【０００４】
そこで、このような消費者の不便を解消するために、一つのカーテンによって投光状態と暗幕状態を調節することができ、汚染や毀損時に洗濯や修理または交換が容易なカーテンが要求されている。
【発明の概要】
【発明が解決しようとする課題】
【０００５】
本発明の目的は、投光状態と暗幕状態を簡単に転換することができ、汚染や毀損時に洗濯や修理または交換が容易なブラインド型カーテン用連結具及びこれを含むブラインド型カーテンを提供することにある。
【課題を解決するための手段】
【０００６】
上述した目的を達するために、本発明は、投光カーテン部と、前記投光カーテン部の両側に備えられた暗幕カーテン部とを含む多数のカーテンブラインドで、上記暗幕カーテン部に備えられて隣接する暗幕カーテン部同士を締結させる連結具において、第１ベース板と、前記第１ベース板の一面の一領域に突出して形成された第１締結部材を有する第１クリップ板と、前記第１ベース板と対応する形状である第２ベース板と、前記第２ベース板の一面の一領域で、前記第１締結部材と結合されるように形成された第２締結部材、及び前記第２ベース板の辺縁中心部から上部に延長された連結リングを有する第２クリップ板とを含むことを特徴とするブラインド型カーテン用連結具を提供する。
【０００７】
また、本発明は、投光カーテン部と、前記投光カーテン部の両側に備えられ、連結具によって隣接する暗幕カーテン部同士が締結された多数のカーテンブラインドを含むブラインド型カーテンにおいて、上記連結具は、第１ベース板と、前記第１ベース板の一面の一領域に突出して形成された第１締結部材を有する第１クリップ板と、前記第１ベース板と対応する形状である第２ベース板と、前記第２ベース板の一面の一領域で前記第１締結部材と結合されるように形成される第２締結部材、及び前記第２ベース板の辺縁中心部から上部に延長された連結リングを有する第２クリップ板とを含むことを特徴とするブラインド型カーテンを提供する。
【０００８】
前記第１ベース板の一面の他領域に突出して形成されたスパイクを有する第１クリップ板と、前記第２ベース板の一面の他領域で上記スパイクと結合されるように形成されたスパイク結合溝とをさらに含むことができる。
【０００９】
前記第１ベース板の一側の一部辺縁で延長された第１延長板と、前記第２ベース板の一側の一部辺縁で延長され、前記第１延長板と対応する形状である第２延長板とを含み、前記第１延長板と前記第２延長板によって上記カーテンブラインドがカーテン状態である時、上記投光カーテン部を「Ｕ」字状に保持することができる。
【００１０】
前記第１延長板と前記第２延長板は弾性部材であることができる。
【００１１】
上記カーテンブラインドは製織されたものであり、上記投光カーテン部は前記暗幕カーテン部よりも厚さが薄い。
【００１２】
また、前記連結具は、前記暗幕カーテン部の上部に備えられ、前記連結具の上部にはカーテンレールと連結される連結リングが形成される。上記連結具は、スリットが形成された第１連結具と、前記スリットに締結される突起が形成された第２連結具とを含むことができる。
【００１３】
上記連結具を通じて前記カーテンブラインドの回転角度を制御する。前記多数のカーテンブラインドは互いに色及び柄が異なり、上記カーテンブラインドの下部に着脱される重りをさらに含むことができる。
【発明の効果】
【００１４】
本発明は、隣接する暗幕カーテン部同士を連結具を通じて締結して、審美感が増加されたラウンド状のブラインド型カーテン用連結具及びこれを含むブラインド型カーテンを提供する。
【００１５】
また、本発明は、連結具の辺縁で延長された延長板を形成して、カーテンブラインドが容易に「Ｕ」字状になるようにすることができるブラインド型カーテン用連結具及びこれを含むブラインド型カーテンを提供する。
【００１６】
また、本発明は、カーテンの状態では投光が可能であり、隣接する暗幕カーテン部同士を連結具を通じて締結した状態では回転（バーティカルの角度調節）によって暗幕カーテン効果を奏することができるブラインド型カーテン用連結具及びこれを含むブラインド型カーテンを提供する。
【００１７】
また、本発明は、多数のカーテンブラインドを個別に分離することができて、汚染または毀損による個別洗濯や修理が容易なブラインド型カーテン用連結具及びこれを含むブラインド型カーテンを提供する。
【００１８】
また、本発明は、カーテンブラインドの下部に重りを備えてカーテンブラインドがぴんと張られるように引っ張ることにより、美麗感を補強することができるブラインド型カーテン用連結具及びこれを含むブラインド型カーテンを提供する。
【００１９】
また、本発明は、多数のボタンブラインドを個別に分離することができて、カーテンブラインドの色及び柄を互いに異なるようにすることができて美麗感を補強することができるブラインド型カーテン用連結具及びこれを含むブラインド型カーテンを提供する。
【００２０】
また、本発明は、連結具に投光カーテン部を支持する延長板を形成して、完璧な「Ｕ」字状のブラインド型カーテンを提供することができるブラインド型カーテン用連結具及びこれを含むブラインド型カーテンを提供する。
【図面の簡単な説明】
【００２１】
【図１】本発明の第１実施例に係るカーテンブラインドの斜視図である。
【図２】本発明の第１実施例に係るブラインド型カーテンの連結具を示す斜視図である。
【図３】本発明の第１実施例に係るブラインド型カーテンの連結具を示す斜視図である。
【図４】本発明の第１実施例に係るブラインド型カーテンの第１クリップ板を示す斜視図である。
【図５】本発明の第１実施例に係るブラインド型カーテンの第２クリップ板を示す斜視図である。
【図６】本発明の第１実施例の変形例に係るブラインド型カーテンの第１連結具を示した斜視図である。
【図７】本発明の第１実施例の変形例に係るブラインド型カーテンの第１連結具を示した斜視図である。
【図８】本発明の第１実施例の変形例に係るブラインド型カーテンの第２連結具を示した斜視図である。
【図９】本発明の第１実施例に係るブラインド型カーテンのカーテン状態斜視図である。
【図１０】図９の平面図である。
【図１１】本発明の第１実施例に係るブラインド型カーテンの暗幕状態斜視図である。
【図１２】図１１の平面図である。
【図１３】本発明の第２実施例に係るカーテンブラインドの斜視図である。
【図１４】本発明の第２実施例に係るブラインド型カーテン用連結具の分解斜視図である。
【図１５】本発明の第２実施例に係るブラインド型カーテン用連結具がレールリングに連結された状態の斜視図である。
【図１６】本発明の第２実施例に係るブラインド型カーテン用連結具の結合斜視図である。
【図１７】本発明の第２実施例の変形例に係るブラインド型カーテン用連結具の結合斜視図である。
【図１８】本発明の第２実施例の変形例に係るブラインド型カーテン用連結具の結合斜視図である。
【図１９】本発明の第２実施例の変形例に係るブラインド型カーテン用連結具の結合斜視図である。
【図２０】本発明の第２実施例の変形例に係るブラインド型カーテン用連結具の結合斜視図である。
【図２１】本発明の第２実施例の変形例に係るブラインド型カーテン用連結具の結合斜視図である。
【図２２】本発明の第２実施例の変形例に係るブラインド型カーテン用連結具の結合斜視図である。
【図２３】本発明の第２実施例の変形例に係るブラインド型カーテン用連結具の結合斜視図である。
【図２４】本発明の第２実施例の変形例に係るブラインド型カーテン用連結具の結合斜視図である。
【図２５】本発明の第２実施例の変形例に係るブラインド型カーテン用連結具の結合斜視図である。
【図２６】本発明の第２実施例の変形例に係るブラインド型カーテン用連結具の結合斜視図である。
【図２７】本発明の第２実施例の変形例に係るブラインド型カーテン用連結具の結合斜視図である。
【図２８】本発明の第２実施例に係るブラインド型カーテンのカーテン状態斜視図である。
【図２９】図２８の平面図である。
【図３０】本発明の第２実施例に係るブラインド型カーテンの暗幕状態平面図である。
【発明を実施するための形態】
【００２２】
以下、図面を参照して、本発明の実施例を詳細に説明する。
【００２３】
しかし、本発明は以下で開示される実施例に限定されるのではなく、異なる多様な形態で具現されることができる。ただ、本実施例は本発明の開示が完全になるようにし、通常の知識を有する者に発明の完全な範疇を提供するためのものである。図面において同じ符号は同じ要素を指す。
【００２４】
図１は本発明の第１実施例に係るカーテンブラインドの斜視図である。
【００２５】
本発明の第１実施例に係るブラインド型カーテンは、図１に示すように、多数のカーテンブラインド１００と、互いに個別的な多数のカーテンブラインド１００を連結させる連結具２００とを含む。
【００２６】
カーテンブラインド１００はブラインド型カーテンを構成する１つのセットで、本発明はこのようなカーテンブラインド１００が多数備えられてブラインド型カーテンを構成する。ここで、本発明に係るカーテンブラインド１００は、投光カーテン部１１０と、投光カーテン部１１０の両側にそれぞれ備えられた暗幕カーテン部１２０とを含む。
【００２７】
投光カーテン部１１０はメッシュ形態に製織されて、外部の光を内部に透過することができる。上記投光カーテン部１１０は長方形に製織され、多様な色及び柄を追加することができる。また、多数のカーテンブラインド１００の投光カーテン部１１０は色と柄を互いに同じであるか異ならせることができ、同じ柄に色のみ異ならせたり、同じ色に柄のみ異ならせることもできる。
【００２８】
暗幕カーテン部１２０は投光カーテン部１１０の両側に備えられて、投光カーテン部１１０と一緒に一つのカーテンブラインド１００を構成する。ここで、暗幕カーテン部１２０は第１暗幕カーテン部１２１と第２暗幕カーテン部１２２とを含み、投光カーテン部１１０の両側にそれぞれ備えられる。このような暗幕カーテン部１２０は投光カーテン部１１０よりも厚さが厚くて投光カーテン部１１０より暗幕効果を有するが、本発明の暗幕カーテン部１２０は一般的な暗幕カーテンのように光を完全に遮断しない。つまり、暗幕カーテン部１２０は、投光カーテン部１１０より厚さが厚くて、光を若干多く遮断するだけである。もちろん、本発明はこれに限定されるのではなく、暗幕カーテン部１２０が光を完全に遮断するようにすることもできる。また、暗幕カーテン部１２０は、投光カーテン部１１０と同じ長方形に製作されることが好ましく、別途に製作してから、投光カーテン部１１０に連結されることもできるが、投光カーテン部１１０と一緒に製織されることが効果的である。
【００２９】
連結具２００は近接する暗幕カーテン部１２０同士を締結するためのものであり、本発明は、連結具２００の締結により投光カーテン部１１０が屈曲されるようになってカーテンブラインド１００が「Ｕ」字状になる。そのために、連結具２００は、第１暗幕カーテン部１２１に備えられた第１連結具２１０と、第２暗幕カーテン部１２２に備えられた第２連結具２２０とを含む。また、連結具２００の上側には天井等に設置されたレールと連結される連結リングが形成されて、連結リングを通じて回転することにより、カーテンブラインド１００の回転角度を制御することができる。もちろん、本発明はカーテンであるので、一般的なカーテンのようにレールを通じてカーテンブラインド１００を移動させてブラインド型カーテンを左右に開閉することができる。
【００３０】
図２及び図３は本発明の第１実施例に係るブラインド型カーテン用連結具を示す斜視図である。また、図４は本発明の第１実施例に係るブラインド型カーテンの第１クリップ板を示す斜視図であり、図５は本発明の第１実施例に係るブラインド型カーテンの第２クリップ板を示す斜視図である。
【００３１】
図２によれば、連結具２００はカーテンブラインド１００をレールに締結するためのものであり、クリップ形態で暗幕カーテン部１２０の上部に締結される。また、クリップ形態で暗幕カーテン部１２０の上部に締結された連結具２００は、連結リングを通じてレールと連結されて、最終的にカーテンブラインド１００が連結具２００を通じてレールに締結されるようにする。ここで、図２の場合、連結具がフックによって結合されるので、連結リングが１つだけあってもよく、図３の場合、フックを除去し、２つの連結リングがレールリング２１２に連結されるようにした。
【００３２】
図４及び図５によれば、このような連結具２００は、暗幕カーテン部１２０の上部の一面と接する第１クリップ板と、暗幕カーテン部１２０の上部の他面と接する第２クリップ板とを含むクリップ板２１１と、第１クリップ板と第２クリップ板の上部に形成された連結リングとを含む。また、レールに結合されるレールリング２１２が連結リングに締結されて暗幕カーテン部１２０は連結具２００を通じてレールに締結される。ここで、レールリング２１２と連結リングは着脱可能である。また、レールリング２１２には、少なくとも一つ以上の連結具２００が連結リングを通じて締結されることができる。つまり、図面にはレールリング２１２に１つの連結リングのみが連結されているが、本発明では、レールリング２１２に２つの連結リングまたはそれ以上の連結リングを一度に連結することもできる。
【００３３】
一方、図５に示された第２クリップ板には第１クリップ板との締結のためのフックのみが図示されているが、これに限定されるのではなく、互いに対向する第１クリップ板と第２クリップ板面には暗幕カーテン部１２０を強固に保持するためにスパイクのような多数の突起が形成されることができる。
【００３４】
第１クリップ板と第２クリップ板の内側には、凹部と、凹部の直径よりも先端の直径が大きい凸部がそれぞれ形成されて強制的な嵌め込みによって暗幕カーテン部１２０の上部を挟んで互いに結合される。また、第１クリップ板と第２クリップ板の外側の中の少なくとも何れか一つには、凹部と、凹部の直径よりも先端の直径が大きい凸部が形成されて近接する連結具２００同士を締結することができるようにする。ここで、第１クリップ板の外側に凹部が形成される場合、第２クリップ板の外側には凸部が形成されることが好ましい。
【００３５】
しかしながら、本発明はこれに限定されるのではなく、凹部と凸部による強制的な嵌め込みではなく、スリットと突起によって近接する連結具２００同士を締結することもできる。
【００３６】
図６及び図７は本発明の第１実施例の変形例に係るブラインド型カーテンの第１連結具を示す斜視図である。
【００３７】
第１連結具２１０は第１暗幕カーテン部１２１の上部に付着され、図６ａに示すように、スリットの一側が開放されて、開放された方向に第２連結具２２０が締結されたり、図６ｂに示すように横方向に形成されたスリットの一部区間の直径を異なるようにして、該スリット区間に第２連結具２２０が挿入されるようにすることができる。しかし、本発明はこれに限定されるのではなく、図７ａと図７ｂに示すように、縦に形成されたスリットの一部区間の直径を異なるように形成することもできる。
【００３８】
図８は、本発明の第１実施例に係るブラインド型カーテンの第２連結具を示す斜視図である。
【００３９】
第２連結具２２０は、図８に示すように、先端の直径が大きい突起が形成されるようにして、その突起が第１連結具２１０のスリットに締結されるようにすることができる。
【００４０】
前述したように、本実施例は、突起とスリットとの締結により暗幕カーテン部１２０同士を締結することを例示したが、これに限定されるのではない。つまり、暗幕カーテン部１２０の締結は、スナップボタン、マジックテープ、磁石、フックなどを利用することもできる。即ち、本発明で近接する暗幕カーテン部１２０を互いに締結する目的を達成することができれば、その締結構造に限定されない。
【００４１】
一方、本実施例では、カーテンブラインド１００が美麗感を補強するための重りをさらに備えることができる。
【００４２】
重りはカーテンブラインド１００の下端に備えられて、重りの重量によってカーテンブラインド１００がぴんと張られるようにする。また、それにより、本発明は、カーテンブラインド１００が風の影響を受けることを最小化することができ、美麗感を補強することができる。
【００４３】
図９は本発明の第１実施例に係るブラインド型カーテンのカーテン状態斜視図であり、図１０は図９の平面図である。
【００４４】
図９及び図１０に示すように、本実施例は、前述したカーテンブラインド１００を多数備えてブラインド型カーテンを製作する。また、カーテンブラインド１００の隣接した暗幕カーテン部１２２、１２１`同士を連結具を通じて締結して、図９及び図１０に示すように「Ｕ」字状のブラインド型カーテンになるようにする。それにより、本発明はブラインド型カーテンの審美感を増加することができる。
【００４５】
図１１は本発明の第１実施例に係るブラインド型カーテンの暗幕状態斜視図であり、図１２は図１１の平面図である。
【００４６】
図１１及び図１２に示すように、本実施例のカーテンブラインド１００は、回転によって一のカーテンブラインド１００の投光カーテン部１１０と第２暗幕カーテン部１２２、隣接する他のカーテンブラインドの第１暗幕カーテン部１２１`が互いに重なるようになる。それにより、本発明に係るブラインド型カーテンは暗幕状態になる。
【００４７】
このように、本実施例は、カーテン状態の時は一般のカーテンのように外部の光が室内に入ることができ、暗幕状態の時は暗幕カーテンのような効果を奏することができる。
【００４８】
一方、本実施例は、前述したカーテンブラインドが多数備えられ、互いに分離されているので、汚染または毀損による洗濯及び修理が容易である。つまり、汚染されたり毀損されたカーテンブラインドの連結具を分離すれば、汚染されたり毀損されたカーテンブラインドのみをレールから分離することができ、分離したカーテンブラインドを洗浄したり、修理または新しく購入したカーテンブラインドを連結具に締結すれば済むので、汚染または毀損されたカーテンブラインドのみを簡単に取り外して洗濯したり交換することができる。
【００４９】
また、本実施例は互いに個別的な多数のカーテンブラインドが連結具によって上部が締結される構造であるので、風が吹いても、一部のカーテンブラインドのみが風に吹かれ、カーテン型ブラインド全体が風に吹かれることを防止することができる。
【００５０】
また、多数のカーテンブラインドそれぞれの色を異なるようにしたり、柄を異なるようにして、美麗感を補強することもできる。即ち、本実施例は、少なくとも一つ以上のカーテンブラインドを使用者の好みに応じて選択して適用することができる。
【００５１】
以下、連結具の延長板が形成された本発明の第２実施例に係るカーテンブラインドについて図面を参照して説明する。後述する内容において前述した本発明の第１実施例に係るカーテンブラインドの説明と重複する内容は省略するか簡単に説明する。
【００５２】
図１３は本発明の第２実施例に係るカーテンブラインドの斜視図である。
【００５３】
本発明の第２実施例に係るブラインド型カーテンは、図１３に示すように、カーテンブラインド１００と、互いに個別的な多数のカーテンブラインド１００を相互連結させ、投光カーテン部１１０を支持する延長板が形成された連結具２００とを含む。ここで、カーテンブラインド１００に対する説明は前述した本発明の第１実施例に係るブラインド型カーテンと同じであるため、これに対する説明は省略する。
【００５４】
図１４は本発明の第２実施例に係るブラインド型カーテン用連結具の分解斜視図である。また、図１５は本発明の第２実施例に係るブラインド型カーテン用連結具がレールリングに連結された状態の斜視図であり、図１６は本発明の第２実施例に係るブラインド型カーテン用連結具の結合斜視図である。
【００５５】
図１３〜図１４によれば、連結具２００はクリップ形態で暗幕カーテン部１２０の上部に締結される。また、クリップ形態で暗幕カーテン部１２０の上部に締結された連結具２００は連結リングを通じてレールと連結されて最終的にカーテンブラインド１００が連結具２００を通じてレールに締結されるようにする。
【００５６】
図１４〜図１６によれば、このような連結具２００は、暗幕カーテン部１２０の上部の一面と接する第１クリップ板２１０と、暗幕カーテン部１２０の上部の他面と接する第２クリップ板２２０とを含む。
【００５７】
第１クリップ板２１０は長方形の第１ベース板２１２と、第１ベース板２１２の一側の一部辺縁で延長された第１延長板２１４と、第１ベース板２１２の一面の一領域に突出して形成されたフックと、第１ベース板２１２の一面の他領域に突出して形成されたスパイク２１８とを含む。
【００５８】
第１ベース板２１２は、前述したように長方形であり、フック２１６が形成される上部領域である第１ベース板上部２１２ｂと、スパイク２１８が形成される下部領域である第１ベース板下部２１２ａとに分けられ、第１ベース板下部２１２ａの一側辺縁に第１延長板２１４が形成される。
【００５９】
第１延長板２１４は第１ベース板２１２で延長されて、第１ベース板２１２の側面の暗幕カーテン部１２０を支持する。本発明は、連結具２００の締結により投光カーテン部１１０が屈曲されるようになって、カーテンブラインド１００が「Ｕ」字状になるようになるが、連結具２００に第１延長板２１４がない場合には「Ｕ」字状が正しく形成されない。その故、本発明はベース板に延長板を形成し、第１ベース板下部２１２ａと第２ベース板下部２２２ａは互いに重なって暗幕カーテン部１２０を支持し、第１延長板２１４と第２延長板２２４は投光カーテン部１１０を支持してカーテンブラインド１００が容易に「Ｕ」字状になるようにする。
【００６０】
一方、本実施例は、第１ベース板２１２と第２ベース板２２２に第１延長板２１４と第２延長板２２４をそれぞれ延長形成することを例示したが、これに限定されるのではない。即ち、第１ベース板２１２と第２ベース板２２２との間に延長板の役割を果たす弾性部材を備えて、弾性的に撓うことによって投光カーテン部１１０がより簡単に「Ｕ」字状になることができる。ここで、弾性部材は、第１ベース板下部２１２ａと第１延長板２１４が連結された形状である。もちろん、第１ベース板下部２１２ａから延長された第１延長板２１４のみが弾性部材で形成されることもでき、第１延長板２１４と第２延長板２２４何れも弾性部材で形成されることもできる。
【００６１】
また、本実施例は、第１ベース板２１２、第１延長板２１４、第２ベース板２２２、第２延長板２２４の下部辺縁を波状、つまり半円形状が続いたパターンを有するようにして、第１クリップ板２１０と第２クリップ板２２０との境界にある暗幕カーテン部１２０がたぐまらないようにすることができる。
【００６２】
一方、本実施例も第１クリップ板２１０と第２クリップ板２２０との締結構造を図６〜図８に示されているようにすることができる。
【００６３】
図１７〜図２７は本発明の第２実施例の変形例に係るブラインド型カーテン用連結具の結合斜視図である。
【００６４】
一方、本実施例は、図１７〜図２７に示すように、変形された形態のブラインド型カーテン用連結具を提供することができる。これは、図１７に示すように、連結具２００の角をラウンド処理したり、図１８に示すように、連結具２００の角を面取りすることができる。また、図１９に示すように、連結具２００の角を階段状に形成したり、図２０に示すように、連結具２００の両側辺縁を角がたつように形成することができる。また、図２１に示すように、連結具２００の一側辺縁はラウンド状にし、他側辺縁は角がたつように形成することもできる。もちろん、図２２〜図２７に示すように、前述した各変形例で、連結リングが上部に突出されず、第２ベース板上部２２２ｂに形成されるようにすることもできる。
【００６５】
図２８は本発明の第２実施例に係るブラインド型カーテンのカーテン状態斜視図であり、図２９は図２８の平面図である。
【００６６】
図９に示すように、従来技術によるブラインド型カーテンは「Ｕ」字状を正しく保持することができないことに対し、図２８及び図２９に示すように、本実施例は、カーテンブラインド１００の隣接する暗幕カーテン部１２２、１２１`同士を連結具を通じて締結して、完璧な「Ｕ」字状のブラインド型カーテンになるようにする。それにより、本実施例はブラインド型カーテンの審美感をさらに増加させることができる。
【００６７】
図３０は本発明の第２実施例に係るブラインド型カーテンの暗幕状態平面図である。
【００６８】
図３０に示すように、本実施例のカーテンブラインド１００は回転により一のカーテンブラインド１００の投光カーテン部１１０と第２暗幕カーテン部１２２、隣接する他のカーテンブラインドの第１暗幕カーテン部１２１`が互いに重なるようになる。それにより、本発明に係るブラインド型カーテンは暗幕状態になる。
【００６９】
このように、本実施例は、連結具に投光カーテン部を支持する延長板を形成し、完璧な「Ｕ」字状のブラインド型カーテンを提供することができる。
【００７０】
以上、図面及び実施例を参照して説明したが、当該技術分野における熟練した当業者は特許請求範囲に記載された本発明の技術的思想から逸脱しない範囲内で本発明を多様に修正及び変更することができることを理解すべきである。
【図１】
2018509190.tif 000003
【図２】
2018509190.tif 000004
【図３】
2018509190.tif 000005
【図４】
2018509190.tif 000006
【図５】
2018509190.tif 000007
【図６（ａ）】
2018509190.tif 000008
【図６（ｂ）】
2018509190.tif 000009
【図７（ａ）】
2018509190.tif 000010
【図７（ｂ）】
2018509190.tif 000011
【図８】
2018509190.tif 000012
【図９】
2018509190.tif 000013
【図１０】
2018509190.tif 000014
【図１１】
2018509190.tif 000015
【図１２】
2018509190.tif 000016
【図１３】
2018509190.tif 000017
【図１４】
2018509190.tif 000018
【図１５】
2018509190.tif 000019
【図１６】
2018509190.tif 000020
【図１７】
2018509190.tif 000021
【図１８】
2018509190.tif 000022
【図１９】
2018509190.tif 000023
【図２０】
2018509190.tif 000024
【図２１】
2018509190.tif 000025
【図２２】
2018509190.tif 000026
【図２３】
2018509190.tif 000027
【図２４】
2018509190.tif 000028
【図２５】
2018509190.tif 000029
【図２６】
2018509190.tif 000030
【図２７】
2018509190.tif 000031
【図２８】
2018509190.tif 000032
【図２９】
2018509190.tif 000033
【図３０】
2018509190.tif 000034
【国際調査報告】
2018509190.tif 000035
2018509190.tif 000036
2018509190.tif 000037
2018509190.tif 000038